(57)【要約】【課題】本発明は、操作キーの操作不能状態が発生したときの代替操作を利用性を向上させつつ可能にする。【解決手段】複合装置１の操作表示部４０は、操作パネル１３に、それぞれ機能の割り当てられている複数の操作キーが設けられており、操作入力制御ユニット１１が、該操作キーの操作可否状態を検出する。操作入力制御ユニット１１は、操作不可の操作キーを検出すると、表示部３１の表示画面の文字認識・入力不可領域を文字認識領域状態にし、該文字認識領域に該操作不可の操作キーを特定する文字が入力されると、該文字入力を該操作キーの代替入力として認識して、動作処理を行う。【選択図】          図１
2014153973.tif 000002
【特許請求の範囲】
【請求項１】
それぞれ機能の割り当てられている複数の操作キーの操作可否状態を検出する操作可否検出手段と、
表示画面上へのタッチ操作による各種操作が可能な操作パネル手段と、
前記操作パネル手段へのタッチ操作を認識するタッチ操作認識手段と、
前記操作パネル手段の前記表示画面の所定領域を文字入力領域と非文字入力領域とに切り替える領域状態切替手段と、
前記操作可否検出手段が操作不可状態にある前記操作キーを検出すると、前記領域状態切替手段に、前記表示画面の前記非文字入力領域を前記文字入力領域に切り替えさせ、該文字入力領域への該操作不可状態の該操作キーの前記機能を特定する所定の文字入力を前記タッチ操作認識手段に認識させる制御手段と、
を備えていることを特徴とする操作入力装置。
【請求項２】
前記操作入力装置は、
前記操作キーに割り当てられている前記機能に応じた機能信号を外部に出力する機能信号出力手段を、さらに備え、
前記制御手段は、
前記タッチ操作認識手段が認識した文字入力に基づいて、前記操作不可状態の前記操作キーの前記機能内容に応じた機能信号を前記機能信号出力手段に出力させることを特徴とする操作入力装置。
【請求項３】
前記操作入力装置は、
複数の前記操作キーと前記文字入力領域に入力される該操作キーの前記機能を特定する文字を対応させたキー・文字対応データを記憶する記憶手段と、
情報を報知出力する報知手段と、
を備え、
前記制御手段は、
前記操作可否検出手段が操作不可状態の前記操作キーを検出すると、前記記憶手段の前記キー・文字対応データを前記報知手段に報知出力させることを特徴とする請求項１または請求項２記載の操作入力装置。
【請求項４】
前記制御手段は、
前記操作不可状態の前記操作キーが操作可能状態になると、前記領域状態切替手段に前記文字入力領域を前記非文字入力領域へ切り替えさせることを特徴とする請求項１から請求項３のいずれかに記載の操作入力装置。
【請求項５】
前記操作入力装置は、
前記表示画面の前記所定領域を、前記文字入力領域と前記非文字入力領域との切替指示操作を行う領域切替指示手段を備え、
前記制御手段は、
前記領域切替指示手段の操作に応じて、前記領域状態切替手段に、前記表示画面の所定領域を、前記文字入力領域と前記非文字入力領域とに切り替えさせることを特徴とする請求項１から請求項４のいずれかに記載の操作入力装置。
【請求項６】
操作入力部でのキー操作に応じた画像処理動作を行う画像処理装置であって、
前記操作入力部として請求項１から請求項５のいずれかに記載の操作入力装置を搭載することを特徴とする画像処理装置。
【請求項７】
それぞれ機能の割り当てられている複数の操作キーの操作可否状態を検出する操作可否検出処理ステップと、
表示画面上へのタッチ操作による各種操作が可能な操作パネル手段へのタッチ操作を認識するタッチ操作認識処理ステップと、
前記操作パネル手段の前記表示画面の所定領域を文字入力領域と非文字入力領域とに切り替える領域状態切替処理ステップと、
前記操作可否検出処理ステップで操作不可状態にある前記操作キーが検出されると、前記領域状態切替処理ステップで、前記表示画面の前記非文字入力領域を前記文字入力領域に切り替えさせ、該文字入力領域への該操作不可状態の該操作キーの前記機能を特定する所定の文字入力を前記タッチ操作認識処理ステップで認識させる制御処理ステップと、
を有していることを特徴とする操作入力方法。
【請求項８】
制御プロセッサに、
それぞれ機能の割り当てられている複数の操作キーの操作可否状態を検出する操作可否検出処理と、
表示画面上へのタッチ操作による各種操作が可能な操作パネル手段へのタッチ操作を認識するタッチ操作認識処理と、
前記操作パネル手段の前記表示画面の所定領域を文字入力領域と非文字入力領域とに切り替える領域状態切替処理と、
前記操作可否検出処理で操作不可状態にある前記操作キーが検出されると、前記領域状態切替処理で、前記表示画面の前記非文字入力領域を前記文字入力領域に切り替えさせ、該文字入力領域への該操作不可状態の該操作キーの前記機能を特定する所定の文字入力を前記タッチ操作認識処理で認識させる制御処理と、
を実行させることを特徴とする操作入力プログラム。
【発明の詳細な説明】
【技術分野】
【０００１】
本発明は、操作入力装置、画像処理装置、操作入力方法及び操作入力プログラムに関し、詳細には、操作キーの操作不能状態が発生したときの代替操作を利用性を向上させつつ可能にする操作入力装置、画像処理装置、操作入力方法及び操作入力プログラムに関する。
【背景技術】
【０００２】
ファクシミリ装置、プリンタ装置、複写装置、複合装置及びコンピュータ等の情報処理装置においては、操作部に設けられている操作キーを使用して、情報処理装置に各種動作指示を行って、情報処理装置に意図する動作を行わせる。
【０００３】
ところが、操作キーに、部品交換や修理が必要な故障が発生すると、従来、該操作キーが交換されるか、必要な修理が行われて復帰するまでの間においては、少なくとも該操作キーを使用した操作を行うことができず、利用性が悪いという問題があった。
【０００４】
そこで、従来、入力キーを有する複数の入力装置を備え、入力装置の入力キーの中から入力を行えない入力不能キーを検出する検出手段が設けられ、前記入力不能キーが存在するとき、前記入力不能キーの代わりに他の入力装置の入力キーが対応する操作パネルが提案されている（特許文献１参照）。
【０００５】
すなわち、この従来技術は、入力不能キーを検出すると、他の入力キーを該入力不能キーに割り当てている。そして、実施例では、固定キーが故障した場合に、該入力不能キーの代替キーとして、他の固定キーやタッチパネルの機能キーを割り当てることが行われている。
【発明の概要】
【発明が解決しようとする課題】
【０００６】
しかしながら、上記公報記載の従来技術にあっては、入力不能キーの代替キーとして、他の正常な固定キーやタッチパネルの機能キーを割り当てている。したがって、代替キーとして固定キーが割り当てられると、操作する固定キーが、入力不能キーの代替キーであるのか、元々の機能を有するキーであるのかを入力の度に確認する必要があり、操作性が悪く、利用性が悪いという問題があった。また、代替キーとして、タッチパネルの機能キーが割り当てると、表示画面に代替キー分の機能キーを表示させるか、他の機能キーにその機能と入力不能キーの機能とを割り当てて選択的に利用できるように必要がある。したがって、入力不能キーの数が増えると、画面に表示する代替キーが多くなって、他の情報を表示する領域が小さくなったり、代替機能を有する機能キーの数が増え、画面表示の利用性が悪化するという問題があった。
【０００７】
そこで、本発明は、操作キーが操作不可能な状態になった場合にも、利用性を向上させつつ、代替操作を行えるようにすることを目的としている。
【課題を解決するための手段】
【０００８】
上記目的を達成するために、請求項１記載の操作入力装置は、それぞれ機能の割り当てられている複数の操作キーの操作可否状態を検出する操作可否検出手段と、表示画面上へのタッチ操作による各種操作が可能な操作パネル手段と、前記操作パネル手段へのタッチ操作を認識するタッチ操作認識手段と、前記操作パネル手段の前記表示画面の所定領域を文字入力領域と非文字入力領域とに切り替える領域状態切替手段と、前記操作可否検出手段が操作不可状態にある前記操作キーを検出すると、前記領域状態切替手段に、前記表示画面の前記非文字入力領域を前記文字入力領域に切り替えさせ、該文字入力領域への該操作不可状態の該操作キーの前記機能を特定する所定の文字入力を前記タッチ操作認識手段に認識させる制御手段と、を備えていることを特徴としている。
【発明の効果】
【０００９】
本発明によれば、操作キーが操作不可能な状態になった場合にも、利用性を向上させつつ、代替操作を行うことができる。
【図面の簡単な説明】
【００１０】
【図１】本発明の一実施例を適用した複合装置のブロック構成図。
【図２】操作パネルの平面図。
【図３】画像処理制御ユニット、操作入力制御ユニット及び操作入力部の操作入力系統のブロック構成図。
【図４】キー・文字対応データベースの一例を示す図。
【図５】操作入力制御処理を示すフローチャート。
【図６】手書き入力されている状態の操作パネルの平面図。
【図７】手書き入力結果を認識して表示している状態の操作パネルの平面図。
【図８】機能が割り当てられている操作キーが入力不能のときの操作入力制御処理を示すフローチャート。
【図９】対応表印刷を伴う操作入力制御処理を示すフローチャート。
【図１０】対応表の一例を示す図。
【図１１】文字認識・入力負荷領域の文字認識領域を自動解除する操作入力制御処理を示すフローチャート。
【図１２】文字認識キーを備えている操作パネルの平面図。
【図１３】図１２の文字認識キーが操作されたときの操作パネルの平面図。
【図１４】文字認識キーの操作による領域変更を伴う操作入力制御処理を示すフローチャート。
【図１５】対応表印刷を伴う文字認識キーの操作による領域変更を行う操作入力制御処理を示すフローチャート。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図１５は、本発明の操作入力装置、画像処理装置、操作入力方法及び操作入力プログラムの一実施例を示す図であり、図１は、本発明の操作入力装置、画像処理装置、操作入力方法及び操作入力プログラムの一実施例を適用した複合装置１のブロック構成図である。
【００１３】
図１において、複合装置（画像処理装置）１は、画像処理制御ユニット２、ＦＡＸ制御ユニット３、ＬＡＮ（Local Area Network）制御部４、ハードディスク（ＨＤＤ）５、画像読取制御ユニット６、画像読取部７、印刷制御ユニット８、印刷部９、表示制御ユニット１０、操作入力制御ユニット１１、制御パネルＩ／Ｆ１２及び操作パネル１３等を備えている。
【００１４】
画像処理制御ユニット２は、ＣＰＵ（Central Processing Unit ）２１、ＲＯＭ（Read Only Memory）２２、ＳＤＲＡＭ（Synchronous Dynamic Random Access Memory）２３及びＮＶＲＡＭ（Nonvolatile Random Access Memory）２４等を備えている。また、操作パネル１３は、表示部３１と操作入力部３２を備えている。
【００１５】
画像処理制御ユニット２は、複合装置１の全体の制御を行うユニットであり、ＲＯＭ２２は、複合装置１としての基本プログラムや本発明の操作入力プログラム等のプログラム及びシステムデータが格納されている。
【００１６】
ＣＰＵ２１は、ＲＯＭ２２内のプログラムに基づいてＳＲＡＭ２３をワークメモリとして利用しつつ、複合装置１の各部を制御して、複合装置１としての基本処理を実行するとともに、本発明の操作入力方法を実行する。
【００１７】
ＮＶＲＡＭ（記憶手段）２４は、不揮発性メモリであり、複合装置１の電源がオフの場合にも記憶しておくべきデータ（例えば、システムログ／システム設定／ログ情報等）を記憶する。特に、ＮＶＲＡＭ２４は、後述するように、キー・文字対応データベースを記憶している。
【００１８】
すなわち、複合装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の操作入力方法を実行する操作入力プログラムを読み込んでＲＯＭ２２やハードディスク５等に導入することで、後述する本発明の操作キーが操作可能な状態になった場合にも、利用性を向上させつつ、代替操作を行う操作入力方法を実行する操作入力装置を搭載する画像処理装置として構築されている。この操作入力プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００１９】
ＦＡＸ制御ユニット３は、ＰＢＸ５１を介して一般公衆回線に接続されており、相手ファクシミリ装置との間で所定のファクシミリ制御信号を交換してファクシミリ通信処理を行って、相手装置との間で画像データの送受信を行う。
【００２０】
ＬＡＮ制御部４は、複合装置１の装置内または装置外に設置されているハブ（ＨＵＢ）５２を介してネットワーク、例えば、ＬＡＮ（Local Area Network）に接続されている。ＬＡＮ制御部４は、ＣＰＵ２１の制御下で、ネットワークに接続されている装置と通信して、画像データの送・受信等を行う。
【００２１】
画像読取制御ユニット６は、画像処理制御ユニット２と画像読取部７に接続されており、画像処理制御ユニット２の制御下で、画像読取部７の動作を制御する。
【００２２】
画像読取部７は、例えば、ＣＣＤ（Charge Coupled Device ）やＣＭＯＳ（Complementary Metal Oxide Semiconductor ）を利用したイメージスキャナ等が利用されており、一般的に、ＡＤＦ（Auto Document Feeder）を備えている。ＡＤＦには、複数枚の原稿がセットされ、ＡＤＦは、画像読取制御ユニット６の制御下で、セットされた原稿を１枚ずつ画像読取部７の稿読み取り位置に送給する。画像読取部７は、画像読取制御ユニット６の制御下で、ＡＤＦから搬送されてきた原稿を走査し、原稿の画像を所定の解像度で読み取って、２値化して画像データとして画像読取制御ユニット６へ出力する。
【００２３】
画像読取制御ユニット６は、画像読取部７から送られてくる画像データを、画像処理制御ユニット２に渡す。
【００２４】
画像処理制御ユニット２は、画像読取部７の読み取った原稿の画像データを、必要な画像処理を施して、ハードディスク５に格納した後、または、直接、印刷制御ユニット８に渡して、後述するように、印刷部９で印刷出力させる。また、画像処理制御ユニット２は、画像データをＬＡＮ制御部４に渡してＬＡＮを介して他の装置に転送する。
【００２５】
印刷制御ユニット８は、画像処理制御ユニット２と印刷部９に接続されており、画像処理制御ユニット２の制御下で、印刷部９の動作を制御する。
【００２６】
印刷部９は、所定の印刷方式、例えば、電子写真方式、インク噴射方式、昇華型熱転写方式、銀塩写真方式、直接感熱記録方式、溶融型熱転写方式等のプリンタが用いられており、印刷制御ユニット８の制御下で、画像データに基づいて画像を用紙に印刷出力する。
【００２７】
表示制御ユニット１０及び操作入力制御ユニット１１は、画像処理制御ユニット２及び制御パネルＩ／Ｆ１２に接続されており、制御パネルＩ／Ｆ１２は、操作パネル１３に接続されている。表示制御ユニット１０及び操作入力制御ユニット１１は、制御パネルＩ／Ｆ１２を介して操作パネル１３と画像処理制御ユニット２との間での操作コマンドの入出力処理及び表示データの出力処理を行う。具体的には、表示制御ユニット１０は、画像処理制御ユニット２から受け取った表示データを制御パネルＩ／Ｆ１２を介して操作パネル１３の表示部３１に出力して、文字や画像、特に、機能キーを表示出力させる。操作入力制御ユニット１１は、操作入力部３２で行われたキー操作内容を制御パネルＩ／Ｆ１２を介して取得して、取得したキー操作内容を画像処理制御ユニット２に通知する。画像処理制御ユニット２は、操作入力制御ユニット１１から通知されるキー操作内容に応じて画像処理装置１の機能処理を実行するとともに、表示部３１へ表示する表示データの表示制御ユニット１０への出力を行う。
【００２８】
操作パネル１３は、表示部３１と操作入力部３２を備えており、例えば、図２に示すように、表示部３１と操作入力部３２が配置されている。
【００２９】
表示部３１は、ＬＣＤ（Liquid Crystal Display）等の表示画面上に超音波弾性波方式等のタッチパネルが積層されたタッチパネル式表示部となっており、図２では、コピーモードにおける各種処理モードデータと機能キーを表示している状態が示されている。例えば、表示部３１は、図２では、機能キーとして、白黒、フルカラー、自動用紙選択、Ａ４、Ａ３、片面→両面、両面→両面、片面→集約等が表示されてタッチ操作による入力可領域と、破線で囲まれている文字認識・入力不可領域（所定領域）３１ａとに領域区分されている。
【００３０】
表示部３１の文字認識・入力不可領域３１ａは、通常状態では、入力不可領域状態に設定されており、図２では、「コピーできます。」の操作パネル１３の操作モードの表示に利用されている状態が示されている。
【００３１】
また、表示部３１は、「原稿  ０」、「セット  １」、「コピー  ０」の項目情報が表示されているが、この項目情報表示領域は、機能キーとはなっておらず、単に、情報を表示する領域となっている。
【００３２】
操作入力部３２は、ハードキーで構成される操作キー入力部３２ａと上記機能キーからなるタッチパネル入力部（操作パネル手段）３２ｂを含んでいる。操作キー入力部３２ａは、図２では、コピーキー、ファックスキー、リセットキー、クリア／ストップキーのファンクションキー、テンキー及びスタートキーが示されている。なお、コピーキーは、動作モードをコピーモードに指定するキーであり、ファックスキーは、動作モードをファックスに指定するキーである。また、リセットキーは、入力情報のリセットを指示するキーであり、クリア／ストップキーは、動作状態や指定済み条件のクリアや動作の停止を指示するキーである。そして、スタートキーは、動作の開始を指示するキーであり、テンキーは、コピー枚数、部数、電話番号等の数値を入力するキーである。上記操作キー入力部３２ａの各ハードキー及びタッチパネル入力部３２ｂの各機能キーは、全体として、操作キーとして機能している。
【００３３】
そして、画像処理制御ユニット２、操作入力制御ユニット１１及び操作入力部３２は、その操作入力系統が、図３に示すように、機能ブロック構成されている。すなわち、複合装置１は、上記操作入力プログラムが導入されることで、図３に示す機能ブロックが構築される。
【００３４】
画像処理制御ユニット２は、操作入力プログラムが導入されることで、表示・機能実行処理部２ａと対応表印刷処理部２ｂが構築される。なお、図３では、ＮＶＲＡＭ２４は、本発明の操作入力処理で用いるデータ、特に、操作キー入力部３２ａとタッチパネル入力部３２ｂのキーとそのキーを特定する文字とを対応させたキー・文字対応データベースを格納しているため、機能ブロックとともに記載されている。
【００３５】
操作入力制御ユニット１１は、操作入力プログラムが導入されることで、入力キー通知部１１ａ、入力不能キー検出部１１ｂ、文字認識・入力不可領域変更部１１ｃ、文字認識部１１ｄ、認識文字変換通知部１１ｅ及びタッチキー通知部１１ｆが構築されている。
【００３６】
入力キー通知部１１ａは、操作入力部３２の操作キー入力部３２ａの各ハードキーの操作内容を取得し、取得したキー操作内容に応じたキー信号を画像処理制御ユニット２の表示・機能実行処理部２ａに出力する。
【００３７】
表示・機能実行処理部（機能信号出力手段）２ａは、入力キー通知部１１ａから入力されるキー信号に応じて画像処理装置１の機能処理を実行するとともに、表示部３１へ表示する表示データの表示制御ユニット１０への出力を行う。
【００３８】
入力不能キー検出部（操作可否検出手段）１１ｂは、例えば、ユーザからのキー入力チェック要求に応じて、操作キー入力部３２ａ及びタッチパネル入力部３２ｂの特定のキーまたは全てのキーのキー入力チェックを行い、該キーが入力可能であるか不可能であるかを検出する。入力不能キー検出部１１ｂは、キーが入力不可能状態（操作不可状態）であることを検出すると、検出結果を画像処理制御ユニット２に通知するとともに、文字認識・入力不可領域変更部１１ｃにキーが入力不可状態であることを通知する。
【００３９】
文字認識・入力不可領域変更部（領域状態切替手段）１１ｃは、入力不能キー検出部１１ｂからキーが入力不可状態であることが通知されると、表示部３１の文字認識・入力不可領域３１ａを入力不可領域（非文字入力領域）状態から文字認識領域（文字入力領域）状態に変更する。文字認識・入力不可領域変更部１１ｃは、文字認識・入力不可領域３１ａの状態変更を行うと、文字認識部１１ｄに、文字認識・入力不可領域３１ａへのユーザによって手書き入力される文字を認識させる。
【００４０】
文字認識部１１ｄは、ユーザによって文字認識・入力不可領域３１ａへ手書き入力された文字を認識し、認識結果を認識文字変換通知部１１ｅへ出力する。
【００４１】
認識文字変換通知部１１ｅは、文字認識部１１ｄから通知された文字を、ＮＶＲＡＭ２４に予め格納されているキー・文字対応データベースを参照して、キー信号に変換して、変換したキー信号を画像処理制御ユニット２の表示・機能実行処理部２ａへ出力する。
【００４２】
このキー・文字対応データベースは、例えば、図４に示すようなデータベースであり、「１」〜「０」及び「＃」、「＊」の各キーは、そのままその文字が対応入力文字として登録されている。また、キー・文字対応データベースは、「クリア／ストップ」キーには、「×」、「スタート」キーには、「Ｓ」、「リセット」キーには、「Ｒ」、「コピー」キーには、「Ｃ」、「ファックス」キーには、「Ｆ」の各文字が対応入力文字として登録されている。
【００４３】
タッチキー通知部１１ｆは、表示部３１で表示している機能キーにタッチパネルでタッチ操作によってキー操作された機能キーを取得し、取得した機能キーに対応するキー信号を画像処理制御ユニット２の表示・機能実行処理部２ａへ通知する。
【００４４】
上記文字認識部１１ｄ、タッチキー通知部１１ｆ及び認識文字変換通知部１１ｅは、全体として、タッチパネル入力部３２ｂへのタッチ操作を認識するタッチ操作認識部（タッチ操作認識手段）１１ｇとして機能している。
【００４５】
表示・機能実行処理部２ａは、認識文字変換通知部１１ｅから入力されるキー信号に応じて画像処理装置１の機能処理を実行するとともに、表示部３１へ表示する表示データの表示制御ユニット１０への出力を行う。したがって、認識文字変換通知部１１ｅ及び表示・機能実行処理部２ａは、全体として、機能信号出力手段として機能している。
【００４６】
対応表印刷処理部２ｂは、入力不能キー検出部１１ｂが入力不能キー（操作不可状態にある操作キー）を検出すると、ＮＶＲＡＭ２４に格納されているキー・文字対応データベースのデータを予め設定されている対応表フォーマットに割りつけて、対応表データを生成する。対応表印刷処理部２ｂは、生成した対応表データを印刷制御ユニット８に送って、印刷制御ユニット８の制御下で、印刷部９に対応表を印刷させる。
【００４７】
上記操作入力部３２、表示制御ユニット１０、操作入力制御ユニット１１、制御パネルＩ／Ｆ１２及び画像処理制御ユニット２は、全体として、操作表示部（操作入力装置）４０として機能している。また、画像処理制御ユニット２のＣＰＵ２１は、入力不能キー検出部１１ｂが入力不可能状態にある操作キーを検出すると、文字認識・入力不可領域変更部１１ｃに、表示画面の文字認識・入力不可領域３１ａの非文字入力領域状態を文字入力領域状態に切り替えさせ、該文字入力領域への該入力不可能状態の該操作キー（入力不能キー）の機能を特定する所定の文字入力が行われると、該入力文字をタッチ操作認識部１１ｇに認識させる制御手段として機能している。
【００４８】
次に、本実施例の作用について説明する。本実施例の複合装置１は、操作キーが操作可能な状態になった場合にも、利用性を向上させつつ、代替操作を可能とする。
【００４９】
複合装置１は、ユーザによってキー入力チェック要求があると、操作キー入力部３２ａ及びタッチパネル入力部３２ｂの特定のキーまたは全てのキーのキー入力チェックを行い、該キーが入力可能であるか不可能であるかを検出する。このキー入力チェックは、例えば、複合装置１が備えているテストモードを利用して実行する。
【００５０】
まず、テンキーに入力不可能状態のキーがある場合について、図５〜図７に基づいて説明する。なお、図５〜図７では、テンキーでコピー枚数を手書き入力で代替入力する場合について示されている。
【００５１】
複合装置１は、キー入力チェック要求があると、入力不能キー検出部１１ｂが、操作キー入力部３２ａ及びタッチパネル入力部３２ｂの特定のキーまたは全てのキーのキー入力チェックを行い、操作キーに入力不能キーがあるかチェックする（ステップＳ１０１）。
【００５２】
入力不能キー検出部１１ｂは、ステップＳ１０１で、操作キーに入力不能キー、特に、図５では、「０」〜「９」のテンキーに入力不能キーがあることを検出すると、文字認識・入力不可領域変更部１１ｃにキー入力不可能状態であること及び入力不能キーを通知する。文字認識・入力不可領域変更部１１ｃは、文字認識・入力不可領域３１ａを入力不可領域状態から文字認識領域状態に変更する（ステップＳ１０２）。なお、入力不能キー検出部１１ｂは、検出した入力不能キーがどの操作キーであるかを、認識文字変換通知部１１ｅにも通知してもよい。
【００５３】
複合装置１は、その後、ユーザが文字認識領域状態に変更後の文字認識・入力不可領域３１ａに文字を手書き入力すると（ステップＳ１０３）、文字認識部１１ｄが、入力された該文字を認識する。文字認識部１１ｄは、認識した文字を認識文字変換通知部１１ｅへ通知する（ステップＳ１０４）。
【００５４】
認識文字変換通知部１１ｅは、文字認識部１１ｄから通知された文字が、「０」〜「９」であるかチェックする（ステップＳ１０５）。ステップＳ１０５で、「０」〜「９」でないとき（ステップＳ１０５で、ＮＯのとき）には、認識文字変換通知部１１ｅは、通知文字に対応するキー信号がないとして、画像処理制御ユニット２へのキー信号の通知を行わない。そして、操作入力制御ユニット１１は、ステップＳ１０３に戻って、ユーザによる文字入力から上記同様に処理する（ステップＳ１０３〜Ｓ１０５）。
【００５５】
ステップＳ１０５で、「０」〜「９」のとき（ステップＳ１０５で、ＹＥＳのとき）には、認識文字変換通知部１１ｅは、通知された文字に対応するキー信号を画像処理制御ユニット２の表示・機能実行処理部２ａへ通知する。表示・機能実行処理部２ａは、入力されたキー信号に対応する情報（文字情報）を表示部３１の対応する領域に表示して、操作入力制御処理を終了する（ステップＳ１０６）。
【００５６】
すなわち、例えば、コピーモードにおいて、テンキーが故障していて、原稿のセット枚数をテンキーで入力することができない場合、ユーザは、図６に示すように、文字認識領域状態に変更された文字認識・入力不可領域３１ａに、「３５」を手書き入力する。文字認識部１１ｄは、この文字認識・入力不可領域３１ａに手書き入力された数字である「３５」（実際には、「３」と「５」を桁数とともに認識）を認識する。認識文字変換通知部１１ｅは、文字認識部１１ｄの認識した数字「３５」に対応するキー信号を表示・機能実行処理部２ａに通知する。表示・機能実行処理部２ａは、図７に示すように、手書き入力されて認識した文字「３５」を、セット枚数の項目に表示する。
【００５７】
また、複合装置１は、機能が割り当てられている操作キー、例えば、コピーキー、ファックスキー、リセットキー等の操作キー入力部３２ａやタッチパネル入力部３２ｂの操作キーに入力不能キーがある場合には、図８に示すように操作入力制御処理を行う。なお、図８において、図５と同様の処理ステップには、同一の符号を付与して、その説明を簡略化する。
【００５８】
すなわち、複合装置１は、キー入力チェック要求があると、入力不能キー検出部１１ｂが、操作キー入力部３２ａ及びタッチパネル入力部３２ｂの特定のキーまたは全てのキーのキー入力チェックを行い、操作キーに入力不能キーがあるかチェックする（ステップＳ１０１）。
【００５９】
入力不能キー検出部１１ｂは、ステップＳ１０１で、操作キーに入力不能キー、特に、図８では、操作キーに入力不能キーがあることを検出すると、文字認識・入力不可領域変更部１１ｃにキー入力不可能状態であることを通知する。文字認識・入力不可領域変更部１１ｃは、文字認識・入力不可領域３１ａを入力不可領域状態から文字認識領域状態に変更する（ステップＳ１０２）。
【００６０】
複合装置１は、その後、ユーザが文字認識領域状態に変更後の文字認識・入力不可領域３１ａに文字が手書き入力されると（ステップＳ１０３）、文字認識部１１ｄが、入力された該文字を認識する。文字認識部１１ｄは、認識した文字を認識文字変換通知部１１ｅへ通知する（ステップＳ１０４）。
【００６１】
認識文字変換通知部１１ｅは、文字認識部１１ｄから通知された文字が、予めＮＶＲＡＭ２４に格納されているキー・文字対応データベースに登録されている文字に一致（合致）するかチェックする（ステップＳ２０１）。ステップＳ２０１で、文字認識部１１ｄから通知された文字が、キー・文字対応データベースに合致する文字でないとき（ステップＳ２０１で、ＮＯのとき）には、認識文字変換通知部１１ｅは、通知文字に対応するキー信号がないとして、画像処理制御ユニット２へのキー信号の通知を行わない。そして、操作入力制御ユニット１１は、ステップＳ１０３に戻って、ユーザによる文字入力から上記同様に処理する（ステップＳ１０３、Ｓ１０４、Ｓ２０１）。
【００６２】
ステップＳ２０１で、文字認識部１１ｄから通知された文字が、キー・文字対応データベースに合致する文字であるとき（ステップＳ２０１で、ＹＥＳのとき）には、認識文字変換通知部１１ｅは、通知された文字に対応するキー信号を画像処理制御ユニット２の表示・機能実行処理部２ａへ通知する。表示・機能実行処理部２ａは、入力されたキー信号に対応する機能を、複合装置１の必要な各部を制御して実行して、操作入力制御処理を終了する（ステップＳ２０２）。
【００６３】
さらに、複合装置１は、操作キーに入力不能キーがあると、操作キーと入力文字の対応表の印刷を伴う操作入力制御処理を、図９及び図１０に示すように行ってもよい。なお、図９において、図８と同様の処理ステップには、同一のステップナンバを付与して、その説明を簡略化する。また、図９では、図８と同様に、操作キーに入力不能キーがる場合について示しているが、テンキーに入力不能キーがある場合にも同様に適用することができる。
【００６４】
すなわち、複合装置１は、キー入力チェック要求があると、入力不能キー検出部１１ｂが、操作キー入力部３２ａ及びタッチパネル入力部３２ｂの特定のキーまたは全てのキーのキー入力チェックを行い、操作キーに入力不能キーがあるかチェックする（ステップＳ１０１）。
【００６５】
入力不能キー検出部１１ｂは、ステップＳ１０１で、操作キーに入力不能キーがあることを検出すると、対応表印刷処理部２ｂにキー入力不可能状態であることを通知する。
【００６６】
対応印刷処理部２ｂは、キー入力不可能状態が入力不能キー検出部１１ｂから通知されると、ＮＶＲＡＭ２４からキー・文字対応データベースを読み出して、予め設定されている対応表フォーマットに割りつけて、対応表データを生成する。対応表印刷処理部２ｂは、生成した対応表データを印刷制御ユニット８に送って、印刷制御ユニット８の制御下で、印刷部９に、例えば、図１０に示すような対応表を印刷させる（ステップＳ３０１）。なお、対応表印刷処理部２ｂは、入力不能キー検出部１１ｂからキー入力不可能状態である旨とともに入力不可能な操作キーの情報が渡されると、対応表に、キー入力が不可能な操作キーを特定する情報を付加して出力する。例えば、図１０の対応表では、テンキーの「３」と「５」が入力不能キーとして、ハッチングを施すことで示されている。
【００６７】
また、入力不能キー検出部１１ｂは、文字認識・入力不可領域変更部１１ｃにキー入力不可能状態であることを通知する。文字認識・入力不可領域変更部１１ｃは、文字認識・入力不可領域３１ａを入力不可領域状態から文字認識領域状態に変更する（ステップＳ１０２）。
【００６８】
複合装置１は、その後、ユーザが文字認識領域状態に変更後の文字認識・入力不可領域３１ａに文字を手書き入力すると（ステップＳ１０３）、文字認識部１１ｄが、入力された該文字を認識する。文字認識部１１ｄは、認識した文字を認識文字変換通知部１１ｅへ通知する（ステップＳ１０４）。
【００６９】
認識文字変換通知部１１ｅは、文字認識部１１ｄから通知された文字が、予めＮＶＲＡＭ２４に格納されているキー・文字対応データベースに登録されている文字に一致（合致）するかチェックする（ステップＳ２０１）。ステップＳ２０１で、文字認識部１１ｄから通知された文字が、キー・文字対応データベースに合致する文字でないときには、認識文字変換通知部１１ｅは、通知文字に対応するキー信号がないとして、画像処理制御ユニット２へのキー信号の通知を行わない。そして、操作入力制御ユニット１１は、ステップＳ１０３に戻って、ユーザによる文字入力から上記同様に処理する（ステップＳ１０３、Ｓ１０４、Ｓ２０１）。
【００７０】
ステップＳ２０１で、文字認識部１１ｄから通知された文字が、キー・文字対応データベースに合致する文字であるときには、認識文字変換通知部１１ｅは、通知された文字に対応するキー信号を画像処理制御ユニット２の表示・機能実行処理部２ａへ通知する。表示・機能実行処理部２ａは、入力されたキー信号に対応する機能を、複合装置１の必要な各部を制御して実行して、操作入力制御処理を終了する（ステップＳ２０２）。
【００７１】
また、複合装置１は、入力不能キーが検出されなくなると、文字認識領域に設定していた文字認識・入力不可領域３１ａを、図１１に示すように、入力不可領域へ自動解除するようにしてもよい。なお、図１１において、図８と同様の処理ステップには、同一のステップナンバを付与して、その説明を簡略化する。また、図１１では、図８と同様に、操作キーに入力不能キーがる場合について示しているが、テンキーに入力不能キーがある場合にも同様に適用することができる。
【００７２】
すなわち、複合装置１は、キー入力チェック要求があると、入力不能キー検出部１１ｂが、操作キー入力部３２ａ及びタッチパネル入力部３２ｂの特定のキーまたは全てのキーのキー入力チェックを行い、操作キーに入力不能キーがあるかチェックする（ステップＳ１０１）。
【００７３】
入力不能キー検出部１１ｂは、ステップＳ１０１で、操作キーに入力不能キーがあることを検出すると、文字認識・入力不可領域変更部１１ｃにキー入力不可能状態であることを通知する。文字認識・入力不可領域変更部１１ｃは、文字認識・入力不可領域３１ａを入力不可領域状態から文字認識領域状態に変更する（ステップＳ１０２）。
【００７４】
複合装置１は、その後、ユーザが文字認識領域状態に変更後の文字認識・入力不可領域３１ａに文字を手書き入力すると（ステップＳ１０３）、文字認識部１１ｄが、入力された該文字を認識する。文字認識部１１ｄは、認識した文字を認識文字変換通知部１１ｅへ通知する（ステップＳ１０４）。
【００７５】
認識文字変換通知部１１ｅは、文字認識部１１ｄから通知された文字が、予めＮＶＲＡＭ２４に格納されているキー・文字対応データベースに登録されている文字に一致（合致）するかチェックする（ステップＳ２０１）。ステップＳ２０１で、文字認識部１１ｄから通知された文字が、キー・文字対応データベースに合致する文字でないときには、認識文字変換通知部１１ｅは、通知文字に対応するキー信号がないとして、画像処理制御ユニット２へのキー信号の通知を行わない。そして、操作入力制御ユニット１１は、ステップＳ１０３に戻って、ユーザによる文字入力から上記同様に処理する（ステップＳ１０３、Ｓ１０４、Ｓ２０１）。
【００７６】
ステップＳ２０１で、文字認識部１１ｄから通知された文字が、キー・文字対応データベースに合致する文字であるときには、認識文字変換通知部１１ｅは、通知された文字に対応するキー信号を画像処理制御ユニット２の表示・機能実行処理部２ａへ通知する。表示・機能実行処理部２ａは、入力されたキー信号に対応する機能を、複合装置１の必要な各部を制御して実行する（ステップＳ２０２）。
【００７７】
そして、複合装置１は、入力不能キー検出部１１ｂが入力不能キーを検出しているか、すなわち、まだ、入力不能キーが存在しているかチェックする（ステップＳ４０１）。
【００７８】
ステップＳ４０１で、入力不能キーがあるとき（ステップＳ４０１で、ＹＥＳのとき）には、複合装置１は、ステップＳ１０３に戻って、ユーザによる文字入力から上記同様に処理する(ステップＳ１０３、Ｓ１０４、Ｓ４０１、Ｓ４０２）。
【００７９】
ステップＳ４０１で、入力不能キーがなくなると（ステップＳ４０１で、ＮＯのとき）、文字認識・入力不可領域変更部１１ｃが、文字認識・入力不可領域３１ａを文字認識領域状態から入力不可領域状態に変更して、操作入力制御処理を終了する（ステップＳ４０２）。
【００８０】
さらに、上記各説明においては、文字認識・入力不可領域３１ａを、入力不能キー検出部１１ｂの検出結果に基づいて文字認識・入力不可領域変更部１１ｃが、自動的変更しているが、図１２〜図１４に示すように、ユーザの操作で変更するようにしてもよい。
【００８１】
すなわち、複合装置１は、例えば、図１２及び図１３に示すように、機能キーとして、文字認識キー（領域切替指示手段）３４を、表示部３１に表示する。そして、文字認識・入力不可領域変更部１１ｃが、文字認識キー３４がユーザによってタッチ操作される毎に、文字認識・入力不可領域３１ａを、文字認識領域状態と入力不可領域状態に切り替えるようにしてもよい。なお、図１２は、文字認識キー３４の未操作時を示しており、図１３は、文字認識キー３４の操作時を示している。この文字認識キー３４は、図１３に示すように、表示部３１の機能キー（タッチキー）で構成してもよいし、ハードキーで構成してもよい。複合装置１は、文字認識キー３４が機能キーで構成されているときには、文字認識キー３４の操作をタッチキー通知部１１ｆが検出して、文字認識入力エリア変更部１１ｃ等に検出結果を通知する。また、複合装置１は、文字認識キー３４がハードキーで構成されているときには、文字認識キー３４の操作を入力キー通知部１１ａが検出して、文字認識入力エリア変更部１１ｃ等に検出結果を通知する。なお、以下の説明では、図１２、図１３に示すように、文字認識キー３４が機能キーで構成されており、タッチキー通知部１１ｆが文字認識キー３４の操作を検出するものとして説明する。
【００８２】
この場合、複合装置１は、図１４に示すように操作入力制御処理を行う。なお、図１４において、図８と同様の処理ステップには、同一のステップナンバを付与して、その説明を簡略化する。また、図１４では、図８と同様に、操作キーに入力不能キーがる場合について示しているが、テンキーに入力不能キーがある場合にも同様に適用することができる。
【００８３】
すなわち、複合装置１は、タッチキー通知部１１ｆが、文字認識キー３４の押下（タッチ操作）の有無をチェックする（ステップＳ５０１）。タッチキー通知部１１fは、文字認識キー３４が押下されると（ステップＳ５０１で、ＹＥＳのとき）、文字認識・入力不可領域変更部１１ｃへ文字認識キー３４が押下されたことを通知する。
【００８４】
文字認識・入力不可領域変更部１１ｃは、文字認識キー３４が押下されたことが通知されると、文字認識・入力不可領域３１ａを入力不可領域状態から文字認識領域状態に変更する（ステップＳ５０２）。
【００８５】
複合装置１は、その後、ユーザが文字認識領域状態に変更後の文字認識・入力不可領域３１ａに文字を手書き入力すると（ステップＳ１０３）、文字認識部１１ｄが、入力された該文字を認識する。文字認識部１１ｄは、認識した文字を認識文字変換通知部１１ｅへ通知する（ステップＳ１０４）。
【００８６】
認識文字変換通知部１１ｅは、文字認識部１１ｄから通知された文字が、予めＮＶＲＡＭ２４に格納されているキー・文字対応データベースに登録されている文字に一致（合致）するかチェックする（ステップＳ２０１）。ステップＳ２０１で、文字認識部１１ｄから通知された文字が、キー・文字対応データベースに合致する文字でないとき（ステップＳ２０１で、ＮＯのとき）には、認識文字変換通知部１１ｅは、通知文字に対応するキー信号がないとして、画像処理制御ユニット２へのキー信号の通知を行わない。そして、操作入力制御ユニット１１は、ステップＳ１０３に戻って、ユーザによる文字入力から上記同様に処理する（ステップＳ１０３、Ｓ１０４、Ｓ２０１）。
【００８７】
ステップＳ２０１で、文字認識部１１ｄから通知された文字が、キー・文字対応データベースに合致する文字であるとき（ステップＳ２０１で、ＹＥＳのとき）には、認識文字変換通知部１１ｅは、通知された文字に対応するキー信号を画像処理制御ユニット２の表示・機能実行処理部２ａへ通知する。表示・機能実行処理部２ａは、入力されたキー信号に対応する機能を、複合装置１の必要な各部を制御して実行して、操作入力制御処理を終了する（ステップＳ２０２）。
【００８８】
そして、複合装置１は、文字認識キー３４が押下されたかチェックし（ステップＳ５０３）、文字認識キー３４が押下されないときには、ステップＳ１０３に戻って、ユーザによる文字入力から上記同様に処理する（ステップＳ１０３、Ｓ１０４、Ｓ２０１、Ｓ２０２、Ｓ５０３）。
【００８９】
ステップＳ５０３で、文字認識キー３４が押下されると、文字認識・入力不可領域変更部１１ｃが、文字認識・入力不可領域３１ａを文字認識領域状態から入力不可領域状態に変更して、操作入力制御処理を終了する（ステップＳ５０４）。
【００９０】
なお、図１４の場合においても、図９の場合と同様に、文字認識・入力不可領域３１ａを文字認識領域状態に変更する前に、対応表印刷処理部２ｂが、図１５に示すように、操作キーと入力文字の対応表を印刷するようにしてもよい。なお、図１５において、図１４と同様の処理ステップには、同一の処理ステップを付与してその説明を省略または簡略化する。
【００９１】
すなわち、複合装置１は、タッチキー通知部１１ｆが、文字認識キー３４の押下（タッチ操作）の有無をチェックする（ステップＳ５０１）。タッチキー通知部１１fは、文字認識キー３４が押下されると（ステップＳ５０１で、ＹＥＳのとき）、対応表印刷処理部２ｂに文字認識キー３４が押下されたことを通知する。
【００９２】
対応印刷処理部２ｂは、タッチキー通知部１１ｆから文字認識キー３４が押下されたことが通知されると、ＮＶＲＡＭ２４からキー・文字対応データベースを読み出して、予め設定されている対応表フォーマットに割りつけて、対応表データを生成する。対応表印刷処理部２ｂは、生成した対応表データを印刷制御ユニット８に送って、印刷制御ユニット８の制御下で、印刷部９に、例えば、図１０に示したような対応表を印刷させる（ステップＳ６０１）。
【００９３】
また、タッチキー通知部１１fは、文字認識キー３４が押下されると（ステップＳ５０１で、ＹＥＳのとき）、文字認識・入力不可領域変更部１１ｃへ文字認識キー３４が押下されたことを通知する。文字認識・入力不可領域変更部１１ｃは、文字認識キー３４が押下されると、文字認識・入力不可領域３１ａを入力不可領域状態から文字認識領域状態に変更する（ステップＳ５０２）。
【００９４】
複合装置１は、その後、ユーザが文字認識領域状態に変更後の文字認識・入力不可領域３１ａに文字を手書き入力すると（ステップＳ１０３）、文字認識部１１ｄが、入力された該文字を認識する。文字認識部１１ｄは、認識した文字を認識文字変換通知部１１ｅへ通知する（ステップＳ１０４）。
【００９５】
認識文字変換通知部１１ｅは、文字認識部１１ｄから通知された文字が、予めＮＶＲＡＭ２４に格納されているキー・文字対応データベースに登録されている文字に一致（合致）するかチェックする（ステップＳ２０１）。ステップＳ２０１で、文字認識部１１ｄから通知された文字が、キー・文字対応データベースに合致する文字でないとき（ステップＳ２０１で、ＮＯのとき）には、認識文字変換通知部１１ｅは、通知文字に対応するキー信号がないとして、画像処理制御ユニット２へのキー信号の通知を行わない。そして、操作入力制御ユニット１１は、ステップＳ１０３に戻って、ユーザによる文字入力から上記同様に処理する（ステップＳ１０３、Ｓ１０４、Ｓ２０１）。
【００９６】
ステップＳ２０１で、文字認識部１１ｄから通知された文字が、キー・文字対応データベースに合致する文字であるとき（ステップＳ２０１で、ＹＥＳのとき）には、認識文字変換通知部１１ｅは、通知された文字に対応するキー信号を画像処理制御ユニット２の表示・機能実行処理部２ａへ通知する。表示・機能実行処理部２ａは、入力されたキー信号に対応する機能を、複合装置１の必要な各部を制御して実行して、操作入力制御処理を終了する（ステップＳ２０２）。
【００９７】
そして、複合装置１は、文字認識キー３４が押下されたかチェックし（ステップＳ５０３）、文字認識キー３４が押下されないときには、ステップＳ１０３に戻って、ユーザによる文字入力から上記同様に処理する（ステップＳ１０３、Ｓ１０４、Ｓ２０１、Ｓ２０２、Ｓ５０３）。
【００９８】
ステップＳ５０３で、文字認識キー３４が押下されると、文字認識・入力不可領域変更部１１ｃが、文字認識・入力不可領域３１ａを文字認識領域状態から入力不可領域状態に変更して、操作入力制御処理を終了する（ステップＳ５０４）。
【００９９】
このように、本実施例の複合装置１は、それぞれ機能の割り当てられている複数の操作キーの操作可否状態を検出する入力不能キー検出部（操作可否検出手段）１１ｂと、表示画面上へのタッチ操作による各種操作が可能なタッチパネル入力部（操作パネル手段）３２ｂと、前記タッチパネル入力部３２ｂへのタッチ操作を認識する文字認識部１１ｄとタッチキー通知部１１ｆからなるタッチ操作認識部（タッチ操作認識手段）１１ｇと、タッチパネル入力部３２ｂの前記表示画面の所定領域である文字認識・入力不可領域３１ａを文字入力領域と非文字入力領域とに切り替える文字認識・入力不可領域変更部（領域状態切替手段）１１ｃと、入力不能キー検出部１１ｂが操作不可状態にある操作キーを検出すると、文字認識・入力不可領域変更部１１ｃに、前記表示画面の文字認識・入力不可領域３１ａの非文字入力領域状態を文字入力領域状態に切り替えさせ、該文字入力領域への該操作不可状態の該操作キーの前記機能を特定する所定の文字入力をタッチ操作認識部１１ｇに認識させるＣＰＵ（制御手段）２１と、を備えている。
【０１００】
したがって、操作キーが操作不可能な状態になった場合にも、該操作不可能な操作キーの数にかかわらず、所定の文字認識・入力不可領域３１ａのみを利用して、操作不可能な操作キーの代替キー操作を行うことができる。その結果、利用性を向上させつつ、代替操作を行うことができる。
【０１０１】
また、本実施例の複合装置１は、それぞれ機能の割り当てられている複数の操作キーの操作可否状態を検出する操作可否検出処理ステップと、表示画面上へのタッチ操作による各種操作が可能なタッチパネル入力部３２ｂへのタッチ操作を認識するタッチ操作認識処理ステップと、タッチパネル入力部３２ｂの前記表示画面の文字認識・入力不可領域（所定領域）３１ａを文字入力領域と非文字入力領域とに切り替える領域状態切替処理ステップと、前記操作可否検出処理ステップで操作不可状態にある前記操作キーが検出されると、前記領域状態切替処理ステップで、前記表示画面の文字認識・入力不可領域３１ａの前記非文字入力領域を前記文字入力領域に切り替えさせ、該文字入力領域への該操作不可状態の該操作キーの前記機能を特定する所定の文字入力を前記タッチ操作認識処理ステップで認識させる制御処理ステップと、を有する操作入力方法を実行している。
【０１０２】
したがって、操作キーが操作不可能な状態になった場合にも、該操作不可能な操作キーの数にかかわらず、所定の文字認識・入力不可領域３１ａのみを利用して、操作不可能な操作キーの代替キー操作を行うことができる。その結果、利用性を向上させつつ、代替操作を行うことができる。
【０１０３】
さらに、本実施例の複合装置１は、操作表示部４０が、その制御プロセッサであるＣＰＵ２１に、それぞれ機能の割り当てられている複数の操作キーの操作可否状態を検出する操作可否検出処理と、表示画面上へのタッチ操作による各種操作が可能なタッチパネル入力部３２ｂへのタッチ操作を認識するタッチ操作認識処理と、タッチパネル入力部３２ｂの前記表示画面の文字認識・入力不可領域（所定領域）３１ａを文字入力領域と非文字入力領域とに切り替える領域状態切替処理と、前記操作可否検出処理で操作不可状態にある前記操作キーが検出されると、前記領域状態切替処理で、前記表示画面の文字認識・入力不可領域３１ａの前記非文字入力領域を前記文字入力領域に切り替えさせ、該文字入力領域への該操作不可状態の該操作キーの前記機能を特定する所定の文字入力を前記タッチ操作認識処理で認識させる制御処理と、を実行させる操作入力プログラムを搭載している。
【０１０４】
したがって、操作キーが操作不可能な状態になった場合にも、該操作不可能な操作キーの数にかかわらず、所定の文字認識・入力不可領域３１ａのみを利用して、操作不可能な操作キーの代替キー操作を行うことができる。その結果、利用性を向上させつつ、代替操作を行うことができる。
【０１０５】
また、本実施例の複合装置１は、操作表示部４０が、前記操作キーに割り当てられている前記機能に応じた機能信号を外部に出力する表示・機能実行処理部（機能信号出力手段）２ａを、さらに備え、ＣＰＵ２１が、タッチ操作認識部１１ｇが認識した文字入力に基づいて、操作不可状態の操作キーの機能内容に応じた機能信号を表示・機能実行処理部２ａに出力させる。
【０１０６】
したがって、テンキーだけでなく、コピーキー等の各種動作機能が付与されている操作キーが操作不可能になった場合にも、複合装置１の機能動作を実行したり、必要な情報を表示部３１に表示させたりすることができる。その結果、利用性をより一層向上させることができる。
【０１０７】
さらに、本実施例の複合装置１は、その操作表示部４０が、複数の前記操作キーと前記文字入力領域に入力される該操作キーの前記機能を特定する文字を対応させたキー・文字対応データベースを記憶するＮＶＲＡＭ（記憶手段）２４と、情報を報知出力する印刷部９や表示部３１等の報知手段と、を備え、ＣＰＵ２１が、入力不能キー検出部１１ｂが操作不可状態の操作キーを検出すると、ＮＶＲＡＭ２４の前記キー・文字対応データを、該報知手段に報知出力させている。
【０１０８】
したがって、ユーザは、報知出力、例えば、印刷出力された対応表に基づいて操作不可状態の操作キーに対応する文字を、文字認識領域状態となっている文字認識・入力不可領域３１ａに入力操作することができる。その結果、利用性をより一層向上させることができる。
【０１０９】
また、本実施例の複合装置１は、ＣＰＵ２１が、操作不可状態の操作キーが操作可能状態になると、文字認識・入力不可領域変更部１１ｃに文字認識領域（文字入力領域）を入力不可領域（非文字入力領域）へ切り替えさせている。
【０１１０】
したがって、不必要な文字認識領域状態の文字認識・入力不可領域３１ａへの誤入力による誤動作を防止することができ、利用性をより一層向上させることができる。
【０１１１】
さらに、本実施例の複合装置１は、操作表示部４０が、表示画面の文字認識・入力不可領域３１ａを、文字認識領域（文字入力領域）と入力不可領域（非文字入力領域）との切替指示操作を行う文字認識キー（領域切替指示手段）３４を備え、ＣＰＵ２１が、文字認識キー３４の操作に応じて、文字認識・入力不可領域変更部１１ｃに、文字認識・入力不可領域３１ａを、文字認識領域（文字入力領域）と入力不可領域（非文字入力領域）とに切り替えさせている。
【０１１２】
したがって、ユーザがキー入力の可否を確認する操作を行うことなく、文字認識・入力不可領域変更部１１ｃを文字認識領域（文字入力領域）と入力不可領域（非文字入力領域）とに適宜切り替えて、入力操作を行うことができる。その結果、利用性をより一層向上させることができる。
【０１１３】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１４】
１  複合装置
２  画像処理制御ユニット
３  ＦＡＸ制御ユニット
４  ＬＡＮ制御部
５  ハードディスク（ＨＤＤ）
６  画像読取制御ユニット
７  画像読取部
８  印刷制御ユニット
９  印刷部
１０  表示制御ユニット
１１  操作入力制御ユニット
１１ａ  入力キー通知部
１１ｂ  入力不能キー検出部
１１ｃ  文字認識・入力不可領域変更部
１１ｄ  文字認識部
１１ｅ  認識文字変換通知部
１１ｆ  タッチキー通知部
１１ｇ  タッチ操作認識部
１２  制御パネルＩ／Ｆ
１３  操作パネル
２１  ＣＰＵ
２２  ＲＯＭ
２３  ＳＤＲＡＭ
２４  ＮＶＲＡＭ
３１  表示部
３１ａ  文字認識・入力不可領域
３２  操作入力部
３２ａ  操作キー入力部
３２ｂ  タッチパネル入力部
３２ｂ  機能キー
４０  操作入力部
５１  ＰＢＸ
５２  ハブ（ＨＵＢ）
【先行技術文献】
【特許文献】
【０１１５】
【特許文献１】特開２００８−０６５３７３号公報
【図１】
2014153973.tif 000003
【図２】
2014153973.tif 000004
【図３】
2014153973.tif 000005
【図４】
2014153973.tif 000006
【図５】
2014153973.tif 000007
【図６】
2014153973.tif 000008
【図７】
2014153973.tif 000009
【図８】
2014153973.tif 000010
【図９】
2014153973.tif 000011
【図１０】
2014153973.tif 000012
【図１１】
2014153973.tif 000013
【図１２】
2014153973.tif 000014
【図１３】
2014153973.tif 000015
【図１４】
2014153973.tif 000016
【図１５】
2014153973.tif 000017